(57)【特許請求の範囲】
【請求項１】
ウエスト部からパンティ部とレッグ部とを介してフット部までが一体に製編されて着用者のウエストから下肢全域を包被する伸縮性の着用物品を製造する方法において、
２本の筒状編地を、それらが前記着用物品に形成されたときに後染め部となる部分を２０〜４０デニールの太さであって無着色の白色糸によって製編するとともに、先染め部となる部分を７０〜９０デニールの太さであって第１の色である黒色に予め着色された黒色糸によって製編し、
これら前記各筒状編地を常法に従って前記フット部となる閉鎖端とは反対側の開口端の一箇所に長手方向に沿って所定長さの切り込みを入れ、この切り込みを開いた部分で２本の前記筒状編地同士を縫合することにより前記着用物品の半製品を形成し、
その後、前記第１の色である黒色と濃度差が大きい第２の色であるベージュ色の染料に前記半製品全体を浸し、前記無着色の白色糸で製編された部分を前記第２のベージュ色に染色して後染め部を形成することを特徴とする着用物品の製造方法。
【請求項２】
前記先染め部が、前記ウエスト部から前記レッグ部の所定の第１位置までであり、前記後染め部が、前記レッグ部の前記第１位置から前記フット部までである請求項１に記載の着用物品の製造方法。
【請求項３】
前記先染め部が、前記レッグ部の所定の第２位置から前記フット部までであり、前記後染め部が、前記ウエスト部から前記レッグ部の前記第２位置までである請求項１に記載の着用物品の製造方法。
【請求項４】
前記先染め部が、前記レッグ部における前記フット部側の第１位置から前記パンティ部側の第２位置までであり、前記後染め部が、前記ウエスト部から前記レッグ部の前記第２位置までと前記レッグ部の前記第１位置から前記フット部までとである請求項１に記載の着用物品の製造方法。
【請求項５】
前記後染め部において、前記パンティ部が、ほぼ４０デニールの太さの糸で製編され、前記パンティ部を除いた該パンティ部から前記レッグ部の前記第２位置までが、前記パンティ部を製編している糸の太さより細いほぼ２０デニールの太さの糸により製編されている請求項３又は４に記載の着用物品の製造方法。
【発明の詳細な説明】
【技術分野】
【０００１】
本発明は、着用物品の製造方法に関し、更に詳細には、編みが細かく薄手のパンティストッキング等を含んだタイツのような伸縮性のある着用物品の製造方法に関する
【背景技術】
【０００２】
タイツは、一般的にはニット編地などの伸縮性を持たせた生地で縫製されたフィット性の高いズボン類であり、他方、パンティストッキングは、ナイロン糸とポリウレタン糸を主な材料として使い、タイツより編み目が細かく薄手のものである点で、タイツと区別されているが、両者ともつま先まで覆っている。他方、スパッツは、一般的には、タイツの足先部分即ちフット部がない形状をしたものであり、欧米ではカルソン又はレギンス等とも呼ばれている。
【０００３】
この明細書では、このようなタイツ及びパンティストッキングを含む意味として、以下、着用物品と称する。ところで、スパッツやレギンスは、一般的には色や柄が付いているものであり、若い女性を中心に非常に好まれて着用されている。しかし、スパッツやレギンスは、パンティ部からレッグ部（脚部）の脛(スネ)部までで、前述したようにフット部が無い。従って、スパッツやレギンスを着用した場合、レッグ部における脛部の一部からフット部全体までが素肌になる。そのため、直接肌を出すことに抵抗のある人などは、スパッツの下にパンティストッキング或いはストッキングを着用する人もいた。また、このように部分的に素肌になるスパッツやレギンスを冬季に着用すると、素肌の部分が寒く、そのため防寒の点から、スパッツやレギンスの下にパンティストッキング或いはストッキングを着用する人もいた。
【０００４】
また、部分的に素肌になる場合として、オーバーニーレングスソックスやハイソックスなどを着用するときである。例えば、オーバーニーレングスソックスは、その丈が膝よりやや上まであるので、太ももは素肌のままとなる。そのため、このようなオーバーニーレングスソックスやハイソックスなどを着用する場合にも、直接肌を出すことに抵抗のある人や冬季の着用時に寒さを避けたい人などはパンティストッキングを着用した上にオーバーニーレングスソックスを着用している。
【０００５】
しかしながら、パンティストッキング或いはストッキングを着用した上にスパッツやレギンス、或いはオーバーニーレングスソックスやハイソックスなどを重ね着すると、二重に着用した部分の厚さが厚くなるため軽装感がなくなって身体を動かしづらいという問題があり、また、着用中に気温が比較的に高くなってくると、厚着をしているのと同じであるため汗をかき、不快に感じることさえある、という問題があった。
【０００６】
ところで、パンティストッキング、ストッキング、厚手のタイツなどに関する従来の技術として、特許文献１に開示された考案が知られている。この特許文献１に開示された考案は、パンティストッキング、ストッキング、厚手のタイツを含むタイツ類に関するもので、レッグ部の膝上からフット部の爪先までの範囲で、その一部を他の部分と異なる柄や編み地にしたものである。更に具体的には、特許文献１に開示された考案では、ストッキングやパンティストッキングなどのタイツ類において、レッグ部の膝上からフット部の爪先までの範囲で、少なくともふくらはぎ下部から足首にわたる部分に部分的に柄編み部分並びに生地の厚みに変化を設け、この柄編み部分以外は無地編み部分としたものである。
【先行技術文献】
【特許文献】
【０００７】
【特許文献１】実用新案登録第３０４４０７１号公報
【発明の概要】
【発明が解決しようとする課題】
【０００８】
前述した特許文献１に開示された考案のタイツ類を着用すれば、素肌になる部分は無いが、スパッツやレギンスを着用しているようにはとても見えないし、またオーバーニーレングスソックスを着用しているようにも見えない。なぜならば、特許文献１に開示された考案のタイツ類は、従来、ソックスの丈が、足先から膝下まで又は膝上までであるため、足の運動やくつとソックスの摩擦などによりソックスがずり落ちやすい、という問題があり、この問題を解決するためにパンティストッキングやストッキングなどにおける少なくともふくらはぎ下部から足首にわたる部分に部分的に柄編み部分を設け、この柄編み部分以外は無地編みとすることにより一見するとソックスを着用しているかのように見せるために創作されたものであるからである。
【０００９】
従って、特許文献１に開示された考案のタイツ類では、ウエスト部からフット部の爪先部まであるタイツやパンティストッキングなどを着用しているにもかかわらず、レギンスやスパッツ、或いはオーバーニーレングスソックスを着用しているように見せることはできない。このようなタイツ類は、柄編み部分を製編し、引き続いて他の部分を製編した２本の筒状編地を定法に従って縫合する、という通常の方法によって製造されているので、柄編み部分の色を変える場合には、その都度、予め着色された糸に交換して柄編み部分を製編する、という作業が必要であった。そのため、生産性が非常に悪く、消費者の好みや流行に迅速に対応することができない、という問題があった。
【００１０】
本発明の目的は、かかる従来の問題点を解決するためになされたものであり、ウエスト部からフット部の爪先部まであるタイツやパンティストッキングなどを着用しているにもかかわらず、素足にレギンスやスパッツを着用しているように見せることができ、或いはオーバーニーレングスソックスやハイソックスなどを着用しているように見せることのできる着用物品を迅速に製造し得る方法を提供することにある。
【課題を解決するための手段】
【００１１】
本発明は、ウエスト部からパンティ部とレッグ部とを介してフット部までが一体に製編されて着用者のウエストから下肢全域を包被する伸縮性の着用物品を製造する方法であり、その特徴とするところは、２本の筒状編地を、それらが前記着用物品に形成されたときに後染め部となる部分を２０〜４０デニールの太さであって無着色の白色糸によって製編するとともに、先染め部となる部分を７０〜９０デニールの太さであって第１の色である黒色に予め着色された黒色糸によって製編し、これら前記各筒状編地を常法に従って前記フット部となる閉鎖端とは反対側の開口端の一箇所に長手方向に沿って所定長さの切り込みを入れ、この切り込みを開いた部分で２本の前記筒状編地同士を縫合することにより前記着用物品の半製品を形成し、その後、前記第１の色である黒色と濃度差が大きい第２の色であるベージュ色の染料に前記半製品全体を浸し、前記無着色の白色糸で製編された部分を前記第２のベージュ色に染色して後染め部を形成することを特徴とすることにある。
【００１２】
本発明に係る着用物品の製造方法の一実施形態としては、前記先染め部が、前記ウエスト部から前記レッグ部の所定の第１位置までであり、前記後染め部が、前記レッグ部の前記第１位置から前記フット部までである。
【００１３】
本発明に係る着用物品の製造方法の他の一実施態様としては、前記先染め部が、前記レッグ部の所定の第２位置から前記フット部までであり、前記後染め部が、前記ウエスト部から前記レッグ部の前記第２位置までである。
【００１４】
本発明に係る着用物品の製造方法の他の一実施態様としては、前記先染め部が、前記レッグ部における前記フット部側の第１位置から前記パンティ部側の第２位置までであり、前記後染め部が、前記ウエスト部から前記レッグ部の前記第２位置までと前記レッグ部の前記第１位置から前記フット部までとである。
【００１５】
本発明に係る着用物品の製造方法の他の一実施態様としては、前記後染め部において、前記パンティ部が、ほぼ４０デニールの太さの糸で製編され、前記パンティ部を除いた該パンティ部から前記レッグ部の前記第２位置までが、前記パンティ部を製編している糸の太さより細いほぼ２０デニールの太さの糸により製編されている。
【発明の効果】
【００１６】
本発明に係る着用物品の製造方法によれば、半製品全体を第２の色であるベージュ色の染料に浸すことにより後染め部を形成するようにしているため、第１の色である黒色より淡いベージュ色の後染め部を容易に形成することができ、この種の着用物品における生産性の向上を図ることができる。
【００１７】
また、本発明に係る着用物品の製造方法によれば、ウエスト部からレッグ部の第１位置までを先染め部としているので、レギンスやスパッツを着用しているように見せることができる着用物品を非常に容易に製造することができ、この種の着用物品の生産性を向上させることができる。
【００１８】
また、本発明に係る着用物品の製造方法によれば、先染め部をレッグ部の第２位置からフット部までとし、後染め部をウエスト部からレッグ部の第２位置までとしているので、オーバーニーレングスソックスやハイソックスを素足に着用しているかのような着用物品を容易に製造することができる。
【００１９】
また、本発明に係る着用物品の製造方法によれば、先染め部をレッグ部におけるフット部側の第１位置からパンティ部側の第２位置までとし、後染め部をウエスト部からレッグ部の第２位置までとレッグ部の第１位置からフット部までとしているので、レッグウォーマーを素足に着用しているかのような着用物品を容易に製造することができる。
【００２０】
更に、本発明に係る着用物品の製造方法によれば、先染め部を製編している糸の太さを７０〜９０デニール、後染め部を製編している糸を２０〜４０デニールとすることにより、後染め部が薄く形成されることから該後染め部が透き通って肌を見ることができ、この後染め部をベージュ色のような淡い色にすることにより、タイツを着用しているにもかかわらずレギンスやスパッツ、オーバーニーレングスソックスやハイソックス、或いはレッグウォーマーを着用しているかのような着用物品を容易に製造することができる。
【００２１】
更に、本発明に係る着用物品の製造方法によれば、パンティ部をほぼ４０デニールの太さの糸で製編し、パンティ部を除いてパンティ部からレッグ部の第２位置までを、パンティ部を製編している糸の太さより細いほぼ２０デニールの太さの糸により製編することにより、着用者の腰部分やヒップ部分を他の部分より強めに締め付けるようにしたので着用感が非常に高くなると同時に腰回りの冷えを防止することが可能な着用物品を容易に製造することができる。
【００２２】
更に、本発明に係る着用物品の製造方法によれば、第２の色がベージュ色であり、第１の色が、ベージュ色より濃い色で形成されているので、タイツを着用しているにもかかわらずスパッツやレギンス、オーバーニーレングスソックスやハイソックス、或いはレッグウォーマーを着用してかのような着用物品を容易に製造することができる。
【図面の簡単な説明】
【００２３】
【図１】本発明の製造方法により作られた着用物品の一例を示す側面図。
【図２】図１に示される着用物品を製造する際に半製品の一部を染めている状態を示す概略構成説明図。
【図３】本発明の製造方法により作られた着用物品の他の例を示す側面図。
【図４】本発明の製造方法により作られた着用物品の更に他の例を示す側面図。
【発明を実施するための形態】
【００２４】
以下、本発明に係る着用物品の製造方法を添付の図に示された好適な実施形態について更に詳細に説明する。本発明に係る着用物品の製造方法の一実施形態として、タイツを例にしてその製造方法を説明する。図１には、本発明の製造方法により作られたタイツ１０が示されている。このタイツ１０は、ウエスト部１１からパンティ部１２とレッグ部１３とを介してフット部１４までが一体に製編され、着用者のウエストから下肢全域を包被する。ここで、製編とは、編み立てることを意味する。このタイツ１０は、ウエスト部１１からレッグ部１３における所定の第１位置１３ａまでの第１染色部分（先染め部）１５と、レッグ部１３における第１位置１３ａからフット部１４までの第２染色部分（後染め部）１６とを有している。このタイツ１０では、第１位置１３ａが、フット部１４より僅かに膝側であって、ふくらはぎより下、即ちフット部１４寄りに位置している。勿論、本発明では、第１位置１３ａが、このタイツ１０により限定されるものではなく、少なくとも膝からくるぶしまでの間に位置すればよい。
【００２５】
先染め部である第１染色部分１５は、第１の色に着色され、また後染め部である第２染色部分１６は、第１の色と異なる第２の色に着色されている。第１の色と第２の色とは濃度に差があり、第１の色の濃度は、第２の色の濃度より濃い。このタイツ１０では、第１染色部分１５が黒色であり、第２染色部分１６がベージュ色、即ち肌色である。この濃度差は、大きければ大きい程好ましい。このタイツ１０では、第１の色を黒色とし、第２の色をベージュ色としたが、第１の色及び第２の色がこれらの色に限定されるものではなく、第１の色を、例えば濃い緑色や濃紺色、或いはこれら以外の色とすることもできる。また、第２の色については、このタイツ１０の着用目的からベージュ色とすることが好ましいが、第２の色についてもベージュ色に限定されるものではなく、第１の色より濃度が淡い色とすることができる。
【００２６】
このタイツ１０では、先染め部である第１染色部分１５が、第１の色である黒色に予め染色された先染め糸で製編されている。他方、後染め部の第２染色部分１６は、無着色の糸で製編された後に着色された部分である。すなわち、このタイツ１０は、概略的には、第２染色部分１６となる部分を無着色の白色糸で製編した後に連続して第１染色部分１５となる部分を先染め糸で製編してタイツの半製品１７を作り、図２に示されるように第２の色であるベージュ色の染料１８を入れた容器１９の中にこの半製品１７全体を浸漬することにより着色される。その際、第１の色即ち黒色で先染めされた糸により製編された第１染色部分即ち先染め部１５は、第２の色即ちベージュ色より濃度が濃いことからベージュ色の染料１８に浸されてもその色には染まらず、黒色のままである。このように第１の色と第２の色との濃度差が大きいと、第２の色が、先染糸で製編された第１染色部分１５を着色してしまうことはない。これにより、無着色の白色糸で製編された部分だけがベージュ色に着色されて第２染色部分即ち後染め部１６となる。
【００２７】
ただし、第２染色部分１６となる部分を無着色の白色糸で製編した後に連続して第１染色部分１５となる部分を先染め糸で製編して半製品１７を作る、と説明したが、これは、このタイツ１０の作り方を要約したもので、実際には、半製品１７は、以下のような従来方法により作られる。すなわち、この半製品１７を製造する方法は、従来のパンティストッキングやタイツを製造する方法とほぼ同じであるので簡単に説明すると、第２染色部分１６に相当する部分を無着色の白色糸で製編し、連続して第１染色部分１５に相当する部分を黒色（第１の色）に先染めされた糸により製編して筒状編地を作り、この筒状編地を２本準備し、これら筒状編地のそれぞれについて、フット部１４となる閉鎖端とは反対側の開口端の一箇所に長手方向に沿って所定長さの切り込みを入れ、次いで、この切り込みを開いた部分を縫合により接続することによりタイツ１０の半製品１７が形成される。
【００２８】
第１染色部分１５を製編する先染め糸には、７０〜９０デニールの太さの糸が用いられ、また第２染色部分１６を製編する無着色の糸には、２０〜４０デニールの太さの糸が用いられる。第１染色部分１５を製編する先染め糸や第２染色部分１６を製編する無着色糸としては、ポリウレタンを芯にナイロンを巻き付けたり、ナイロンの上にさらに別の糸を巻き付けた二重構造糸（コアヤーン）などを使用することができる。このタイツ１０において、第２染色部分１６を製編する糸の太さを２０〜４０デニールとする理由は、第２染色部分１６が第１染色部分１５に比べて非常に薄く、着用者が着用すると第２染色部分１６では透き通って着用者の肌が見えることから、第２染色部分１６がベージュ色であることと相まって一層素肌であるように見せることができるからである。また、第１染色部分１５を製編する糸の太さを７０〜９０デニールとする理由は、第１染色部分１５が第２染色部分１６に比べて厚く、着用者が着用すると、より一層素足にレギンスやスパッツを着用しているように見えるからである。
【００２９】
次に、本発明に係る着用物品の製造方法を図３に示される別のタイツ２０を例にして説明する。図３には、本発明に係る着用物品の製造方法により作られたタイツ２０が示されている。図３に示されるタイツ２０において、図１に示されるタイツ１０を構成する部分と同一若しくは相当する部分には同一の参照符号を付けてその説明を省略する。図３に示されるタイツ２０も、前述したタイツ１０と同様にウエスト部１１からパンティ部１２とレッグ部１３とを介してフット部１４までが一体に製編され、着用者のウエストから下肢全域を包被する。このタイツ２０は、レッグ部１３の所定の第２位置１３ｂよりフット部１４までの第３染色部分２１と、第２位置１３ｂよりウエスト部１１までの第４染色部分２２とを有している。このタイツ２０では、第３染色部分２１が先染め部となり、第４染色部分２２が後染め部となる。また、このタイツ２０では、第２位置１３ｂが、パンティ部１２より膝側であって、この膝より１０〜１５ｃｍ上、即ちパンティ部１２寄りに位置している。勿論、本発明では、第２位置１３ｂが、このタイツ２０により限定されるものではなく、少なくともレッグ部１３における膝から上の部分に位置していればよい。
【００３０】
先染め部である第３染色部分２１は、第１の色に着色され、また後染め部である第４染色部分２２は、第１の色と異なる第２の色に着色されている。第１の色の濃度は、第２の色の濃度より濃い。このタイツ２０では、第３染色部分２１が黒色に着色され、第４染色部分２２がベージュ色即ち肌色に着色されている。この濃度差は、大きければ大きい程好ましい。このタイツ２０についても、図１に示されるタイツ１０と同様に第１の色を黒色とし、第２の色をベージュ色としているが、本発明では、第１の色及び第２の色がこれらの色に限定されるものではなく、第１の色を、例えば濃い緑色や濃紺色、或いはそれ以外の色とすることもできる。第２の色については、このタイツ２０の目的からベージュ色とすることが好ましいが、この第２の色についてもベージュ色に限定されるものではなく、第１の色より濃度が淡い色とすることができる。
【００３１】
このタイツ２０では、第３染色部分即ち先染め部２１が、第１の色である黒色に予め染色された先染め糸で製編されている。他方、第４染色部分即ち後染め部２２は、無着色の糸で製編された後に着色された部分である。この第４染色部分２２は、概略的には、先染め糸で第３染色部分２１を製編した後に連続して無着色の白色糸で製編することにより形成される。実際には、図１のタイツ１０と同様に第３染色部分２１に相当する部分を先染め糸で製編した後に第４染色部分２２を無着色の糸で製編して筒状編地を形成し、かかる筒状編地を２本準備してタイツの半製品を作る。次いで、タイツ１０の製造方法と同じ方法により、第２の色であるベージュ色の染料１８を入れた容器１９の中にこの半製品全体を浸漬することにより無着色の糸で製編した部分を着色して第４染色部分２２とする。より具体的には、第１の色即ち黒色で先染めされた糸により製編された第３染色部分２１は、第２の色即ちベージュ色より濃度が濃いことからベージュ色の染料１８に浸されてもその色には染まらず、黒色のままである。このように第１の色と第２の色との濃度差が大きいと、第２の色が、先染糸で製編された第３染色部分２１を着色してしまうことはない。これにより、無着色の白色糸で製編された部分だけがベージュ色に着色されて第４染色部分２２となる。
【００３２】
第３染色部分２１を製編する先染め糸には、７０〜９０デニールの太さの糸が用いられ、また、第４染色部分２２を製編する無着色の糸には、２０〜４０デニールの太さの糸が用いられる。第３染色部分２１を製編する先染め糸や第４染色部分２２を製編する無着色糸としては、ポリウレタンを芯にナイロンを巻き付けたり、ナイロンの上にさらに別の糸を巻き付けた二重構造糸（コアヤーン）などを使用することができる。
【００３３】
このタイツ２０では、第３染色部分２１を製編している糸が、７０〜９０デニール、第４染色部２２分を製編している糸が２０〜４０デニールであるので、第４染色部分２２が薄く形成されることから透き通って肌が見え、第４染色部分２２をベージュ色のような淡い色にすることにより、タイツを着用しているにもかかわらず素足にオーバーニーレングスソックスやハイソックスを着用しているように見せることができる。また、第３染色部分２１を製編する先染め糸の太さを７０〜９０デニールとする理由は、第４染色部分２２に比べて第３染色部分２１が厚くなるため、より一層素足にオーバーニーレングスソックスやハイソックスを着用しているように見せることができるからである。
【００３４】
さらに、このタイツ２０では、第４染色部分２２におけるパンティ部１２をほぼ４０デニールの太さ糸で製編し、パンティ部１２を除く第２位置１３ｂまでを、パンティ部１２を製編している太さの糸より細い糸、例えば２０デニールの太さの糸で製編することも好ましい。このように、第４染色部分２２について、パンティ部１２をほぼ４０デニールの太さの糸で製編し、パンティ部１２を除く第２位置１３ｂまでを、パンティ部１２を製編している太さの糸より細い糸で製編することにより、着用者の腰部分やヒップ部分が他の部分より強めに締め付けられることから着用感が非常に高いと同時に腰回りの冷えを防止することもできる。
【００３５】
更に、本発明に係る着用物品の製造方法を図４に示される別のタイツ３０を例にして説明する。図４には、本発明に係る着用物品の製造方法により作られたタイツ３０が示されている。図４に示されるタイツ３０において、図１及び図３に示される各タイツ１０，２０を構成する部分と同一若しくは相当する部分には同一の参照符号を付けてその説明を省略する。このタイツ３０も、前述したタイツ１０，２０と同様にウエスト部１１からパンティ部１２とレッグ部１３とを介してフット部１４までが一体に製編され、着用者のウエストから下肢全域を包被する。
【００３６】
このタイツ３０は、フット部１４からレッグ部１３の所定の第１位置１３ａまでの第２染色部分１６と、ウエスト部１１からレッグ部１３の所定の第２位置１３ｂまでの第４染色部分２２と、レッグ部１３の第１位置１３ａから第２位置１３ｂまでの第５染色部分３１とを有している。先染め部は、第５染色部分３１であり、後染め部は、第２染色部分１６と第４染色部分２２となる。このタイツ３０では、第１位置１３ａが、図１に示されるタイツ１０と同様にフット部１４より僅かに膝側であって、ふくらはぎより下、即ちフット部１４寄りに位置している。また、第２位置１３ｂは、パンティ部１２より膝側であって、この膝より１０〜１５ｃｍ上、即ちパンティ部１２寄りに位置している。勿論、本発明では、第１位置１３ａ及び第２位置１３ｂが、このタイツ３０により限定されるものではない。
【００３７】
先染め部である第５染色部分３１は、第１の色に着色され、また後染め部である第２染色部分１６及び第４染色部分２２のそれぞれは、第１の色と異なり、かつ濃度差のある第２の色に着色されている。第１の色の濃度は、第２の色の濃度より濃い。このタイツ３０でも、第５染色部分３１は黒色であり、第２染色部分１６及び第４染色部分２２はベージュ色、即ち肌色である。この濃度差が、大きければ大きい程好ましいことは前述したとおりである。また、このタイツ３０でも、第１の色を黒色とし、第２の色をベージュ色としたが、第１の色及び第２の色がこれらの色に限定されるものではなく、第１の色を、例えば濃い緑色や濃紺色、或いはこれら以外の色とすることもできる。第２の色については、このタイツの目的からベージュ色とすることが好ましいが、第２の色についてもベージュ色に限定されるものではなく、第１の色より濃度が淡い色とすることができる。
【００３８】
また、このタイツ３０でも、第５染色部分３１が、第１の色である黒色に予め染色された先染め糸で製編されている。他方、第２染色部分１６及び第４染色部分２２は、無着色の糸で製編された後に着色された部分である。具体的には、第２染色部分１６に相当する部分を無着色の白色糸で製編した後に連続して第５染色部分３１に相当する部分を先染め糸で製編し、更に続いて第４染色部分２２に相当する部分を無着色の白色糸で製編して筒状編地を形成し、かかる筒状編地を２本前述した方法により繋げてタイツの半製品を作り、図２に示されるように第２の色であるベージュ色の染料１８を入れた容器１９の中にこの半製品全体を浸漬することにより着色される。その際、第１の色即ち黒色で先染めされた糸により製編された第５染色部分３１は、第２の色即ちベージュ色より濃度が濃いことからベージュ色の染料１８に浸されてもその色には染まらず、黒色のままである。このように第１の色と第２の色との濃度差が大きいと、第２の色が、先染糸で製編された第５染色部分３１を着色してしまうことはない。これにより、無着色の白色糸で製編された部分だけがベージュ色に着色されて後染め部である第２染色部分１６及び第４染色部分２２となる。
【００３９】
第５染色部分３１を製編する先染め糸には、７０〜９０デニールの太さの糸が用いられ、また、第２染色部分１６及び第４染色部分２２を製編する無着色の糸には、２０〜４０デニールの太さの糸が用いられる。第５染色部分３１を製編する先染め糸や第２染色部分１６及び第４染色部分２２を製編する無着色糸としては、ポリウレタンを芯にナイロンを巻き付けたり、ナイロンの上にさらに別の糸を巻き付けた二重構造糸（コアヤーン）などを使用することができる。
【００４０】
このタイツ３０では、第５染色部分３１を製編している糸が、７０〜９０デニール、第２染色部分１６及び第４染色部２２分を製編している糸が２０〜４０デニールであるので、第２染色部分１６及び第４染色部分２２が薄く形成されることから透き通って肌が見え、第２染色部分１６及び第４染色部分２２をベージュ色のような淡い色にすることにより、タイツを着用しているにもかかわらず素足にレッグウォーマーを着用しているように見せることができる。また、第５染色部分３１が、７０〜９０デニールの太さの先染め糸で製編されているので、第５染色部分３１が第２染色部分１６及び第４染色部分２２に比べて厚くなり、その結果、より一層素足にレッグウォーマーを着用しているように見せることができる。
【００４１】
さらに、このタイツ３０では、第４染色部分２２において、パンティ部１２をほぼ４０デニールの太さ糸で製編し、パンティ部１２を除くレッグ部１３の第２位置１３ｂまでを、パンティ部１２を製編している太さの糸より細い糸、例えば２０デニールの太さの糸で製編することも好ましい。このように、第４染色部分２２について、パンティ部１２をほぼ４０デニールの太さの糸で製編し、パンティ部１２を除く第２位置１３ｂまでを、パンティ部１２を製編している太さの糸より細い糸で製編することにより、着用者の腰部分やヒップ部分が他の部分より強めに締め付けられることから着用感が非常に高いと同時に腰回りの冷えを防止することもできる。
【００４２】
以上説明したように、本発明に係る着用物品の製造方法によれば、ウエスト部からフット部の爪先部まであるタイツやパンティストッキングなどを着用しているにもかかわらず、レギンスやスパッツを着用しているように見せることができ、或いはオーバーニーレングスソックスやハイソックス、或いはレッグウォーマーを着用しているように見せることができる着用物品を容易に製造することができると共に、後染め部の色を容易にかつ迅速に変更することができることから、消費者の好み或いは流行に速やかに対応することができ、従ってこの種の着用物品における生産性の向上を図ることができる。
【符号の説明】
【００４３】
１０，２０，３０    タイツ（着用物品）
１１    ウエスト部
１２    パンティ部
１３    レッグ部
１３ａ    第１位置
１３ｂ    第２位置
１４    フット部
１５    第１染色部分（先染め部）
１６    第２染色部分（後染め部）
１７    タイツの半製品
１８    ベージュ色（第２の色）の染料
２１    第３染色部分（先染め部）
２２    第４染色部分（後染め部）
３１    第５染色部分（先染め部）
【図１】
0005576132.tif 000002
【図２】
0005576132.tif 000003
【図３】
0005576132.tif 000004
【図４】
0005576132.tif 000005